(57)【要約】【解決手段】衣類の打合わせ部分に取り付けられているフック部材Ｃとアイ部材Ｄとからなる係止具に取り付け得るものであって、シリコーン樹脂片１の長さ方向の一端部に、前記フック部材Ｃを係入させ得る孔２ａを有する側面Ｌ字状の雌部材２を、前記シリコーン樹脂片１のもう一方の端部に、前記アイ部材Ｄに掛合させ得る断面横Ｕ字状の雄部材３を備えている。【効果】前記雌部材２の孔２ａに前記フック部材Ｃを係入し、前記雄部材３を前記アイ部材Ｄに掛合させることによって、ズボンＢやスカートの打合わせ部分にある係止具に取り付けることができる。前記雌部材２の孔２ａに前記フック部材Ｃを係入することで、フック部材Ｃから本調整用鉤部材Ａがより外れにくい。特に、側面Ｌ字状の前記雌部材２の孔２ａの上縁２ｂがフック部材Ｃの片面を押える場合には、より一層外れにくい。【選択図】図４
2014230689.tif 000002
【特許請求の範囲】
【請求項１】
衣類の打合わせ部分に取り付けられているフック部材とアイ部材とからなる係止具に取り付け得るものであって、シリコーン樹脂片の長さ方向の一端部に、前記フック部材を係入させ得る孔を有する側面Ｌ字状の雌部材を、前記シリコーン樹脂片のもう一方の端部に、前記アイ部材に掛合させ得る断面横Ｕ字状の雄部材を備えたことを特徴とする調整用鉤部材。
【請求項２】
側面Ｌ字状の雌部材に形成されている孔に対応させて、シリコーン樹脂片の片面より突出する突片を形成したことを特徴とする請求項１記載の調整用鉤部材。
【請求項３】
雄部材の先端側の幅が奥よりも狭くなっていることを特徴とする請求項１記載の調整用鉤部材。
【請求項４】
雄部材が取り付けられている側のシリコーン樹脂片の端面を、雄部材の先側の幅の異なる付近まで延び出させたことを特徴とする請求項３記載の調整用鉤部材。
【請求項５】
シリコーン樹脂片の長さ方向の中央付近に、１個ないし複数個の厚さ方向に貫通する孔ないし窪みを形成したことを特徴とする請求項１、２、４のいずれか１項に記載の調整用鉤部材。
【請求項６】
シリコーン樹脂片の長さ方向の両端部に取り付けられる雌部材と雄部材の基部に、複数の孔をそれぞれ形成しておき、これらの孔を両面から覆うごとくシリコーン樹脂を形成し、シリコーン樹脂片の長さ方向の両端部に雌部材と雄部材を有するものとしたことを特徴とする調整用鉤部材の製造方法。
【発明の詳細な説明】
【技術分野】
【０００１】
本発明は、ズボンやスカートなどの衣類において、主として腰周りの打合わせ部分に取り付けられている係止具に取り付け得るものであって、特に伸縮性を有し、ウエストのサイズを調整するために用いる鉤部材とその製造方法に関するものである。
【背景技術】
【０００２】
従来、ズボンやスカートのウエストサイズ調整のための部材として、例えば、特許文献１や特許文献２に見られるような技術があった。
これらの調整用鉤部材でもウエストサイズを調整できるが、摺動レールを備えており、さらに、スプリングやガイドなどの多くの部材から形成されている。
【０００３】
しかし、これらの調整用鉤部材はできるだけ簡単な構造となっていることが好ましく、また、絶えず打合わせ部分に取り付けられるものであるため、できるだけ簡単な構造で、生産コストも安くできるものであることが好ましい。一方、取り付け時に衣類の打合わせ部分が大きく膨らむものであっては、体裁が悪いので、好ましくない。
【０００４】
このような要望に応えることができるようにするために、本出願人は特許文献３に示す調整用鉤部材を提案している。
【先行技術文献】
【特許文献】
【０００５】
【特許文献１】特開２００１−８７０１０号公報
【０００６】
【特許文献２】特開２００２−１７４０９号公報
【０００７】
【特許文献３】特開２０１２−１０９０１号公報
【発明の概要】
【発明が解決しようとする課題】
【０００８】
本出願人が提案した調整用鉤部材は、その本体としてシリコーン樹脂片を使用することにより、従来の場合には不可能であった縫い付けが不要で、ズボンやスカートなどどのような衣類にも即時に使用可能であり、本調整用鉤部材の受片に衣類の打ち合わせ部分に取り付けられているフック部材を係入させたとき、両者の係合状態が外れにくいという利点を有するものである。
【０００９】
本発明は、上記係合状態がより一層外れにくい調整用鉤部材を提供することを目的とする。合わせて、シリコーン樹脂片に一部が埋入されている雌部材と雄部材とがシリコーン樹脂片から外れない調整用鉤部材の製造方法を提供することを目的とする。
【課題を解決するための手段】
【００１０】
上記の調整用鉤部材を得るために、本発明では、衣類の打合わせ部分に取り付けられているフック部材とアイ部材とからなる係止具に取り付け得るものであって、シリコーン樹脂片の長さ方向の一端部に、前記フック部材を係入させ得る孔を有する側面Ｌ字状の雌部材を、前記シリコーン樹脂片のもう一方の端部に、前記アイ部材に掛合させ得る断面横Ｕ字状の雄部材を備えたものである。
【００１１】
本調整用鉤部材は、前記シリコーン樹脂片の長さ方向の一端部に備えられている側面Ｌ字状の雌部材の孔に前記係止具のフック部材を係入し、前記シリコーン樹脂片のもう一方の端部に備えられている雄部材を前記係止具のアイ部材に掛合させることによって、ズボンやスカートの打合わせ部分にある係止具に取り付けることができる。
この場合において、側面Ｌ字状の雌部材の孔に前記係止具のフック部材を係入することで、フック部材から本調整用鉤部材がより外れにくい。特に、側面Ｌ字状の前記雌部材の孔の上縁がフック部材の片面を押える場合には、フック部材から本調整用鉤部材がより一層外れにくい。
また、本調整用鉤部材は扁平で薄くすることができるから、衣類の打合わせ部分に取り付けても、その部分がむやみに膨らむことはない。そして、シリコーン樹脂片の弾性により伸縮自在であるから、ズボンやスカートのウエストサイズを極めて簡単な構造の部材により、容易に調整することができる。
【００１２】
図１〜図３に示すように、側面Ｌ字状の雌部材に形成されている孔に対応させて、シリコーン樹脂片の片面より突出する突片を形成することが好ましい。このようにした場合には、前記孔に係入させるフック部材の側面形状が様々であったり、厚さがまちまちであっても、このようなフック部材に全て対応させることができるのみならず、側面Ｌ字状の雌部材の孔からフック部材が抜け出るのを防止することができる。
【００１３】
図１及び図６に示すように、雄部材の先端側の幅が奥よりも狭くなっていることが好ましい。このようにした場合には、前記アイ部材が大きい場合には雄部材の幅の大きい部分を、前記アイ部材がそれよりも小さい場合には雄部材の幅の狭い先端部分を掛合させることができる。
【００１４】
図１及び図６(a)、(b)に示すように、雄部材が取り付けられている側のシリコーン樹脂片の端面を、雄部材の先側の幅の異なる付近まで延び出させるのが良い。シリコーン樹脂片の端面をこのように雄部材の先側の幅の異なる付近まで延び出させてあると、前記雄部材を前記係止具のアイ部材に掛合させたとき、雄部材がアイ部材からより外れにくくなる。
【００１５】
シリコーン樹脂片の長さ方向の中央付近に、１個ないし複数個の厚さ方向に貫通する孔ないし窪みを形成したものとするのが良い。このようにした場合には、シリコーン樹脂片の長さ方向により一層の伸縮性を持たせることができるので、ウエストのサイズ調整機能を大幅に拡張することができる。
【００１６】
また、本発明の製造方法は、シリコーン樹脂片の長さ方向の両端部に取り付けられる雌部材と雄部材の基部に、複数の孔をそれぞれ形成しておき、これらの孔を両面から覆うごとくシリコーン樹脂を形成し、シリコーン樹脂片の長さ方向の両端部に雌部材と雄部材を有するものとしたことを特徴とする。
この製造方法によれば、雌部材と雄部材がシリコーン樹脂片から妄りに離脱することがない。また、この製造方法によれば、インサート成型が可能であるから、この調整用鉤部材を、特にシリコーン樹脂片の厚さをより薄くすることができるとともに、引張強度を高めることもできる。
【発明の効果】
【００１７】
請求項１記載の発明によれば、側面Ｌ字状の雌部材の孔に前記係止具のフック部材を係入することで、フック部材から本調整用鉤部材がより外れにくい。特に、側面Ｌ字状の前記雌部材の孔の上縁がフック部材の片面を押える場合には、フック部材から本調整用鉤部材がより一層外れにくい。
また、本調整用鉤部材は扁平で薄くすることができるから、衣類の打合わせ部分に取り付けても、その部分がむやみに膨らむことはなく、この鉤部材を使用したために体裁が悪くなるようなこともない。そして、シリコーン樹脂片の弾性により伸縮自在であるから、ズボンやスカートのウエストサイズを極めて簡単な構造の部材により、容易に調整することができる。
【００１８】
請求項２記載の発明によれば、雌部材に形成されている孔に係入させるフック部材の側面形状が様々であったり、厚さがまちまちであっても、このようなフック部材に全て対応させることができるのみならず、側面Ｌ字状の雌部材の孔からフック部材が抜け出るのを防止することができる。
【００１９】
請求項３記載の発明によれば、アイ部材が大きい場合には雄部材の幅の大きい部分を、アイ部材がそれよりも小さい場合には雄部材の幅の狭い先端部分を掛合させることができるので、アイ部材の大きさが異なる場合にも利用でき、極めて便利である。
【００２０】
請求項４記載の発明によれば、雄部材を係止具のアイ部材に掛合させたとき、雄部材がアイ部材からより外れにくくなる。
【００２１】
請求項５記載の発明によれば、シリコーン樹脂片の長さ方向により一層の伸縮性を持たせることができるので、ウエストのサイズ調整機能を大幅に拡張することができる。
【００２２】
請求項６記載の製造方法によれば、雌部材と雄部材がシリコーン樹脂片から妄りに離脱することがない調整用鉤部材を得ることができる。また、この製造方法によれば、インサート成型が可能であるから、この調整用鉤部材を、特にシリコーン樹脂片の厚さをより薄くすることができるとともに、引張強度を高めることもできる。
【図面の簡単な説明】
【００２３】
【図１】本発明による調整用鉤部材の一例を示す斜視図である。
【図２】図１に示す調整用鉤部材の横断面図である。
【図３】衣類の一つであるズボンの打合わせ部分に、フック部材とアイ部材とからなる係止具を取り付けた状態を示す斜視図である。
【図４】図３に示す係止具に本発明による調整用鉤部材を取り付けた状態を示す正面図である。
【図５】側面Ｌ字状の雌部材の孔にフック部材を係入した状態を示す横断面図である。
【図６】アイ部材に雄部材を掛合させた状態を正面方向から見た図で、(a)はアイ部材が大きい場合に雄部材の幅の大きい部分を掛合させた状態を、(b)はアイ部材がそれよりも小さい場合に雄部材の幅の狭い先端部分を掛合させた状態を示す。
【発明を実施するための形態】
【００２４】
本発明による調整用鉤部材の一例を、図面に基いて詳細に説明する。本発明による調整用鉤部材は、図３に示すズボンＢやスカートのような衣類の打合わせ部分に取り付けられているフック部材Ｃとアイ部材Ｄとからなる係止具に取り付け得るものであり、後述するように、前記フック部材Ｃを係入させ得る孔２ａを有する側面Ｌ字状の雌部材２と前記アイ部材Ｄに掛合させ得る雄部材３を備えている。
【００２５】
すなわち、図１、図２に示すように、シリコーン樹脂片１の長さ方向の一端部に、前記フック部材Ｃを係入させ得る孔２ａを有する側面Ｌ字状の雌部材２を、前記シリコーン樹脂片１のもう一方の端部に、前記アイ部材ＤあるいはＤ’に掛合させ得る断面横Ｕ字状の雄部材３を備えている。
【００２６】
前記フック部材Ｃとアイ部材Ｄは、図３、図４に示すようにズボンＢの打合わせ部分や、図示はしないがスカートのような衣類の打合わせ部に取り付けられ、ウエストを固定するためのものである。ズボンＢやスカートを着用するときには、腰周りをウエストサイズよりも広く開放する方が着用し易いから、その状態で着用し、着用後、フック部材Ｃをアイ部材Ｄに掛合させることにより、腰に固定できる。
ズボンＢやスカートなどの衣類に取り付けられているこの係止具に、ここに例示する調整用鉤部材Ａを取り付けることにより、ウエストサイズを容易に調整できる。
【００２７】
ズボンを例に挙げて説明すると、ズボンＢの打合せ部分に取り付けられているフック部材Ｃをアイ部材Ｄに掛合させた場合のウエストの長さでは、ズボンＢがはけなくなることがある。例えば、着用時今までより肥えていた場合や、食事後でウエストサイズが大きくなる場合があり、このような場合にズボンＢの打合せ部分における係止具の掛合位置を調整することができれば、極めて都合が良い。
【００２８】
この場合に用いると便利な調整用鉤部材の一例を、図１においてＡで示してある。ここに例示されている調整用鉤部材Ａの主体はシリコーン樹脂片１である。このシリコーン樹脂片１は反発弾性が極めて良好で、耐候性にも優れている他、電気絶縁性などにも優れており、さらに、薄くても引っ張り強度を備えているという特性を備えている。
【００２９】
したがって、図４に示すように、このシリコーン樹脂片１の長さ方向の一端部に備えられている雄部材３をズボンＢの打合せ部分のアイ部材Ｄに掛合させるとともに、シリコーン樹脂片１のもう一方の端部に備えられている雌部材２の孔２ａにズボンＢの打合せ部分のフック部材Ｃを係入すると、雄部材３と雌部材２との間でシリコーン樹脂片１が伸縮するから、係止具の掛合位置を異ならしめてウエスト調整した場合と同様の効果がある。また、シリコーン樹脂片１を伸縮させることができるから、必要な分だけの伸縮効果が得られる。
【００３０】
この場合において、側面Ｌ字状の雌部材２の孔２ａに前記係止具のフック部材Ｃを係入することで、フック部材Ｃから本調整用鉤部材Ａがより外れにくい。特に、側面Ｌ字状の前記雌部材２の孔２ａの上縁２ｂがフック部材Ｃの片面を押える場合には、フック部材Ｃから本調整用鉤部材Ａがより一層外れにくい。
また、本調整用鉤部材Ａ、特に、本調整用鉤部材Ａの主体であるシリコーン樹脂片１は扁平で薄くすることができるから、衣類の打合わせ部分に取り付けても、その部分がむやみに膨らむことはない。そして、シリコーン樹脂片１の弾性により伸縮自在であるから、ズボンやスカートのウエストサイズを極めて簡単な構造の部材により、容易に調整することができる。
【００３１】
側面Ｌ字状の雌部材２に形成されている孔２ａの上縁２ｂの位置は、この孔２ａに係入されるフック部材Ｃが孔２ａから抜け出にくいように設定するのが良いが、ここには、図２に示すように、シリコーン樹脂片１の片面１ａとほぼ同じ位置に来るようにした場合が例示されている。そして、この孔２ａに対応させて、シリコーン樹脂片１の片面１ａより突出する突片１ｂを形成してある。このようにした場合には、図５に示すように、前記孔２ａに係入させるフック部材Ｃの側面形状が様々であったり、厚さがまちまちであっても、このようなフック部材Ｃに全て対応させることができるのみならず、側面Ｌ字状の雌部材２の孔２ａからフック部材Ｃが抜け出るのを防止することができる。
なお、図５において、符号ｂはズボンＢの腰裏で、フック部材Ｃはこの腰裏ｂに縫着されるか、あるいは、金具を用いてフック部材Ｃを挟着することにより腰裏ｂに固定されている。
【００３２】
また、ここには、図１、図６(a)、(b)に示すように、雄部材３の先端３ａ側の幅が奥よりも狭くなっている場合が例示されている。このようにした場合には、前記アイ部材が図６(a)においてＤで示すように大きい場合には、雄部材３の幅の大きい部分３ｂを、前記アイ部材が図６(b)においてＤ’で示すようにそれよりも小さい場合には、雄部材３の幅の狭い先端部分３ｃを掛合させることができる。このように、アイ部材の大きさが符号Ｄや符号Ｄ’で示すように異なる場合にも利用でき、極めて便利である。
【００３３】
さらに、ここには、図１及び図６(a)、(b)に示すように、雄部材３が取り付けられている側のシリコーン樹脂片１の端面１ｃを、雄部材３の先側の幅の異なる付近まで延び出させた場合が例示されている。シリコーン樹脂片１の端面１ｃをこのように雄部材３の先側の幅の異なる付近まで延び出させてあると、前記雄部材３を前記係止具のアイ部材Ｄに掛合させたとき、雄部材３がアイ部材Ｄからより外れにくくなる。
【００３４】
上記いずれかの場合において、シリコーン樹脂片１の幅と長さは自由に設定できる。また、シリコーン樹脂片１の長さ方向の中央付近に、１個ないし複数個の厚さ方向に貫通する孔ないし窪みを形成することができる。ただし、ここでは図示を省略するが、このようにした場合には、シリコーン樹脂片１の長さ方向により一層の伸縮性を持たせることができるので、ウエストのサイズ調整機能を大幅に拡張することができる。
【００３５】
なお、図１、図２及び図５において符号１ｄで示すように、雄部材３の先端３ａに対応させてシリコーン樹脂片１の片面を前記端面１ｃより内方に向けて切除してある。このようにした場合には、雄部材３を前記係止具のアイ部材Ｄにより掛合させやすい。
【００３６】
次に、本調整用鉤部材Ａには雌部材２と雄部材３とが備えられているが、これらの部材のシリコーン樹脂片１への取り付け方、すなわち、本調整用鉤部材Ａの製造方法について詳細に説明する。
【００３７】
シリコーン樹脂片１の長さ方向の両端部に取り付けられる雌部材２と雄部材３の基部に、複数の孔２ｃと３ｄをそれぞれ形成しておき、型を用いてこれらの孔２ｃ、３ｄを両面から覆うごとくシリコーン樹脂を形成し、シリコーン樹脂片１を扁平状に成型し、当該シリコーン樹脂片１の長さ方向の両端部に雌部材２と雄部材３を有するものとする。
【００３８】
この製造方法によれば、雌部材２と雄部材３の複数の孔２ｃと３ｄにシリコーン樹脂が埋入移入するともに、これらの孔２ｃ、３ｄが両面からシリコーンで覆われるので、雌部材２と雄部材３とがシリコーン樹脂片１に固定され、シリコーン樹脂片１から妄りに外れることがない。また、見映えも良い。
【００３９】
さらに、シリコーン樹脂片１の一端部に備えられている雌部材２の孔２ａにズボンＢに取り付けられているフック部材Ｃを係入し、シリコーン樹脂片１のもう一方の端部に備えられている雄部材３をアイ部材Ｄに掛合させることにより、シリコーン樹脂片１がアイ部材Ｄとフック部材Ｃの相反する方向から引っ張られることになるが、雌部材２と雄部材３がシリコーン樹脂片１の長さ方向の両端部に埋入・固定されているため、このような引っ張り応力にも十分耐え得る。
【符号の説明】
【００４０】
１…シリコーン樹脂片、１ａ…片面、１ｂ…突片、１ｃ…端面、１ｄ…切除部分、２…雌部材、２ａ…孔、２ｂ…孔の上縁、２ｃ…孔、３…雄部材、３ａ…雄部材の先端、３ｂ…雄部材の幅の大きい部分、３ｃ…雄部材の幅の狭い先端部分、３ｄ…孔、Ａ…調整用鉤部材、Ｂ…ズボン、ｂ…腰裏、Ｃ…フック部材、Ｄ，Ｄ’…アイ部材。
【図１】
2014230689.tif 000003
【図２】
2014230689.tif 000004
【図３】
2014230689.tif 000005
【図４】
2014230689.tif 000006
【図５】
2014230689.tif 000007
【図６】
2014230689.tif 000008